(57)【特許請求の範囲】
【請求項１】
低沸点液をタンクへ輸送するための輸送部と、該輸送部に連なり且つタンクに沿い立上がる立上り部と、該立上り部に連なり且つタンクの屋根に沿って延在する傾斜部と、該傾斜部に連なり且つタンクへ低沸点液を導入する下降部とにより形成した低沸点液受入れ管において、前記輸送部と立上り部との間に、液面が輸送部の上端よりも高くなるよう低沸点液を溜め得るようにした略水平な低沸点液貯留部を設けると共に、該低沸点液貯留部の上面に、低沸点液貯留部で気化したガスをガス処理設備へ抜出し得るよう、ガス抜き管を接続し、前記傾斜部の傾斜上端側に、低沸点液を傾斜部へ送給する冷却用低沸点液送給管を接続し、該冷却用低沸点液送給管に、前記低沸点液貯留部の低沸点液の液面が上面に達したら閉止し、下降して所定のレベルに達したら開くようにしたバルブを設け、該バルブを開いた場合には、前記傾斜部に低沸点液を送給し得るよう構成したことを特徴とする低沸点液受入れ管の冷却装置。
【請求項２】
請求項１記載の冷却装置を用いた冷却方法であって、冷却用低沸点液送給管から低沸点液受入れ管の傾斜部へ送給した低沸点液を傾斜部に沿い流下させる、低沸点液受入れ管の冷却方法。
【発明の詳細な説明】
【０００１】
【産業上の利用分野】
本発明は、低沸点液受入れ管の冷却装置及び冷却方法に関するものである。
【０００２】
【従来の技術】
液化天然ガス（ＬＮＧ）や液化石油ガス（ＬＰＧ）等の低沸点液をタンカから陸上の貯蔵用のタンクまで送る場合、図３に示すような輸送ラインが使用される。
【０００３】
図３中、１はタンカ、２はタンカ１の低沸点液払出し管、３は低沸点液払出し管２にジョイント４を介して接続されたローディングアーム、５はバルブ６を介してローディングアーム３に接続された低沸点液受入れ管、７は低沸点液を貯蔵するための二重殻構造（図２参照）のタンクであり、低沸点液受入れ管５は、水平部５ａと、水平部５ａの先端でタンク７の外側面に沿い立上がる立上り部５ｂと、該立上り部５ｂの上端からタンク７の屋根の傾斜に沿ってタンク７頂部に向う傾斜部５ｃと、傾斜部５ｃの上端から下方へ延びる下降部５ｄとを有し、下降部５ｄの下端はタンク７の頂部に接続されている。
【０００４】
又、８はタンク７の下端側部に接続され且つ低沸点液を消費地へ送給するための低沸点液送給管、９は低沸点液送給管８に接続されたポンプ、１０は後端を低沸点液送給管８のポンプ９下流側に接続され先端を低沸点液受入れ管５の水平部５ａ下端に接続された冷却用低沸点液送給管、１１は冷却用低沸点液送給管１０に接続したバルブである。
【０００５】
上記輸送ラインでは、バルブ１１を閉止した状態でタンカ１のポンプから送出された低沸点液は、低沸点液払出し管２、ローディングアーム３、低沸点液受入れ管５を通ってタンク７の頂部からタンク７内へ受入れられる。
【０００６】
上記輸送ラインは、被輸送物が気化しやすい低温の液体であるため、輸送を円滑に行うためには、輸送ラインは充分に冷却されていることが必要である。
【０００７】
而して、低沸点液が輸送されている間は、輸送ラインは、輸送されている低沸点液の冷却効果により冷却されているため特に問題は生じない。
【０００８】
しかし、輸送終了後一定時間を経過した後再び低沸点液の輸送を開始する場合、前記輸送ラインは周囲から熱を受けて低沸点液が気化し、温度上昇しているため、運転再開後最初から極く低温の低沸点液を流すと、輸送ラインが急激な熱収縮を起こして好ましくなく、従って比較的温度の高い低沸点液から流し始め、徐々に温度を下げる必要があり輸送能率が悪かった。
【０００９】
そのため、従来は輸送終了後、タンク７内の低沸点液を輸送ラインの適宜位置に送給して該輸送ラインを冷却するという手段が講じられており、その手段のひとつとして、低沸点液受入れ管５のタンク７屋根上に敷設した傾斜部５ｃを冷却することも行われている。
【００１０】
すなわち、バルブ６を閉止し、バルブ１１を開いた状態でポンプ９を駆動すると、タンク７から導出された低沸点液の一部は、低沸点液送給管８から冷却用低沸点液送給管１０を通り、低沸点液受入れ管５の水平部５ａへ導入され、水平部５ａから立上り部５ｂ、傾斜部５ｃ、下降部５ｄと流れてタンク７へ戻り、この循環の際に、低沸点液受入れ管５の傾斜部５ｃの冷却が行われる。
【００１１】
【発明が解決しようとする課題】
ＬＮＧ、ＬＰＧ等の低沸点液が立上り部５ｂを持つ低沸点液受入れ管５内に封じ込められると、周囲からの侵入熱により管５内の低沸点液の温度が上昇して気化し、その結果図２に示すごとく気泡１２が発生し、該気泡１２は上昇するに従い急激に大きくなる結果、ガイザリング現象という突沸現象が発生する。
【００１２】
而して、突沸現象が生じると、低沸点液受入れ管５に異音及び振動が発生し、好ましくない。
【００１３】
本発明は上述の実情に鑑み、低沸点液受入れ管の立上り部において低沸点液に突沸現象が生じないようにすることを目的としてなしたものである。
【００１４】
【課題を解決するための手段】
本発明は、低沸点液をタンクへ輸送するための輸送部と、該輸送部に連なり且つタンクに沿い立上がる立上り部と、該立上り部に連なり且つタンクの屋根に沿って延在する傾斜部と、該傾斜部に連なり且つタンクへ低沸点液を導入する下降部とにより形成した低沸点液受入れ管において、前記輸送部と立上り部との間に、液面が輸送部の上端よりも高くなるよう低沸点液を溜め得るようにした略水平な低沸点液貯留部を設けると共に、該低沸点液貯留部の上面に、低沸点液貯留部で気化したガスをガス処理設備へ抜出し得るよう、ガス抜き管を接続し、前記傾斜部の傾斜上端側に、低沸点液を傾斜部へ送給する冷却用低沸点液送給管を接続し、該冷却用低沸点液送給管に、前記低沸点液貯留部の低沸点液の液面が上面に達したら閉止し、下降して所定のレベルに達したら開くようにしたバルブを設け、該バルブを開いた場合には、前記傾斜部に低沸点液を送給し得るよう構成したものである。
【００１５】
又、本発明は、冷却用低沸点液送給管から低沸点液受入れ管の傾斜部へ送給した低沸点液を傾斜部に沿い流下させ、傾斜部の冷却を行う。
【００１６】
【作用】
低沸点液受入れ管の立上り部には、低沸点液が溜らないため、傾斜部の冷却時に突沸現象が生じることがない。又、傾斜部及び立上り部の冷却を充分に行うことができる。
【００１７】
【実施例】
以下、本発明の実施例を添付図面を参照しつつ説明する。
【００１８】
図１は本発明の一実施例で、低沸点液受入れ管５の水平部５ａと立上り部５ｂ下端との間には、低沸点液受入れ管５の一部として少くとも上面が水平部５ａの上面よりも若干高く且つ略水平な低沸点液貯留部５ｅが設けられ、低沸点液貯留部５ｅの上面には、気化したガスをガス処理設備へ抜出すためのガス抜き管１３が接続されており、低沸点液貯留部５ｅには、低沸点液貯留部５ｅ内の低沸点液の液面を検出するための液面検出器１４が設けられている。
【００１９】
低沸点液送給管８に接続した冷却用低沸点液送給管１０は低沸点液受入れ管５における傾斜部５ｃの傾斜方向上流側端部近傍に接続され、冷却用低沸点液送給管１０に設けたバルブ１１は、液面検出器１４からの信号により開閉し得るようになっている。
【００２０】
なお、図中、１５はガス抜き管１３に設けられたコンプレッサである。
【００２１】
低沸点液のタンクへの貯蔵が行われた後低沸点液受入れ管５の傾斜部５ｃの冷却を行う場合、タンク７内の低沸点液は、低沸点液送給管８からポンプ９へ吸引され、ポンプ９により加圧されて下流側の低沸点液送給管８へ送出され、送出された低沸点液の一部は、冷却用低沸点液送給管１０から低沸点液受入れ管５の傾斜部５ｃの傾斜方向上流側へ導入され、傾斜部５ｃに沿って流下し、更に立上り部５ｂを流下し、低沸点液貯留部５ｅに貯留される。而して、低沸点液が傾斜部５ｃを流下する際には、傾斜部５ｃが冷却され、又立上り部５ｂを流下する際に立上り部５ｂが冷却される。
【００２２】
傾斜部５ｃから立上り部５ｂを経て低沸点液貯留部５ｅに溜った沸点液の液面が上昇し、上限に達すると、液面検出器１４からの信号によりバルブ１１が閉止され、傾斜部５ｃへは低沸点液が導入されない。しかし、低沸点液貯留部５ｅで低沸点液の液面が下降し、所定のレベルに達すると、液面検出器１４からの信号により再びバルブ１１が開き、低沸点液は再び傾斜部５ｃへ導入されるため、傾斜部５ｃ、立上り部５ｂの冷却が再開される。
【００２３】
低沸点液貯留部５ｅで気化したガスは、ガス抜き管１３を通りコンプレッサ１５で圧縮されたうえ、ガス処理設備へ送給される。
【００２４】
本実施例では、低沸点液は立上り部５ｂに溜ることがなく流下するだけであるため、突沸現象が生じることがなく、従って、低沸点液受入れ管５の振動や騒音を防止することができる。
【００２５】
なお、本発明は上述の実施例に限定されるものではなく、本発明の要旨を逸脱しない範囲内で種々変更を加え得ること、等は勿論である。
【００２６】
【発明の効果】
本発明の低沸点液受入れ管の冷却装置及び冷却方法によれば、低沸点液受入れ管の立上り部に低沸点液が溜ることがないため、低沸点液の突沸現象を防止することができ、その結果、低沸点液受入れ管の振動、騒音を防止でき、又、傾斜部及び立上り部の冷却を充分に行うことができる、という優れた効果を奏し得る。
【図面の簡単な説明】
【図１】本発明の一実施例の正面図である。
【図２】従来の一例の正面図である。
【図３】低沸点液を受入れるための輸送ラインの概要を示す系統図である。
【符号の説明】
５        低沸点液受入れ管
５ａ    水平部（輸送部）
５ｂ    立上り部
５ｃ    傾斜部
５ｄ    下降部
５ｅ    低沸点液貯留部
７        タンク
１０    冷却用低沸点液送給管
【図１】
0003591024.tif 000002
【図２】
0003591024.tif 000003
【図３】
0003591024.tif 000004